【手続補正書】
【提出日】平成24年8月2日(2012.8.2)
【手続補正１】
【補正対象書類名】特許請求の範囲
【補正対象項目名】全文
【補正方法】変更
【補正の内容】
【特許請求の範囲】
【請求項１】
不揮発性データ記憶装置を設けるメモリカードからデータを読み出す方法であって、
（ａ）前記不揮発性データ記憶装置の第１のボリュームからのボリューム情報にアクセスするステップと、
（ｂ）前記メモリカード上に、１つのボリュームが存在するかまたは複数のボリュームが存在するかを、ボリューム情報に基づき判断するステップと、
（ｃ）前記メモリカード上に１つのボリュームが存在すると前記判断するステップ（ｂ）が判断すると、第１のボリュームのみを提供するものとして前記メモリカードを動作させるステップと、
（ｄ）前記メモリカード上に複数のボリュームが存在すると前記判断するステップ（ｂ）が判断すると、複数のボリュームを提供するものとして前記メモリカードを動作させるステップと、を含み、
前記不揮発性データ記憶装置が、１つのボリュームに割り当てられ、
複数のボリュームのうちの１つが第１のボリュームであり、前記不揮発性データ記憶装置が複数のボリューム間に配分される方法。
【請求項２】
請求項１記載の方法において、
前記メモリカードは、複数のスイッチ位置を有するスイッチを含み、
前記動作させるステップ（ｄ）は、
（ｄ１）前記スイッチのスイッチ位置を判断することと、
（ｄ２）前記スイッチ位置に基づき、複数のボリュームのうちの１つを選択的にイネーブルすることと、を少なくとも含む方法。
【請求項３】
請求項２記載の方法において、
前記スイッチは、少なくとも第１の位置および第２の位置を有し、
前記動作させるステップ（ｄ）は、（ｄ３）前記スイッチが第２の位置にある場合、アドレスオフセットを強制することを少なくともさらに含む方法。
【請求項４】
請求項３記載の方法において、
前記アドレスオフセットは、１６ビットアドレッシングを用いるファイルシステムで利用可能なデータ記憶容量よりも大きなデータ記憶容量を前記メモリカードが提供できるようにする方法。
【請求項５】
請求項２記載の方法において、
前記スイッチは、少なくとも第１の位置および第２の位置を有し、
前記スイッチ位置が第１の位置にあり、前記メモリカードが複数のボリュームを提供するものとして動作させられる場合、前記不揮発性データ記憶装置の第１のボリュームがアクセスされ、
前記スイッチ位置が第２の位置にあり、前記メモリカードが複数のボリュームを提供するものとして動作させられる場合、前記不揮発性データ記憶装置の第２のボリュームがアクセスされる方法。
【請求項６】
請求項５記載の方法において、
前記メモリカードは単一のボリュームまたはボリュームのペアのいずれかへとフォーマットされ、ボリュームのペアは第１のボリュームおよび第２のボリュームである方法。
【請求項７】
請求項６記載の方法において、
前記不揮発性データ記憶装置の全体が、単一のボリュームとしてＸギガバイトの第１のボリュームへとフォーマットされるか、またはボリュームのペアとしてそれぞれＸ／２ギガバイトの第１および第２のボリュームへとフォーマットされ、Ｘは０より大きい方法。
【請求項８】
請求項１記載の方法において、
前記方法は、（ｅ）前記メモリカードのアクティベーションを検出するステップをさらに含み、
前記アクセスするステップ（ａ）、前記判断するステップ（ｂ）および前記動作させるステップ（ｃ）または（ｄ）は、前記検出するステップ（ｅ）が前記メモリカードのアクティベーションを検出すると実行される方法。
【請求項９】
請求項８記載の方法において、
前記メモリカードのアクティベーションは、前記メモリカードの電源がオンになるか、または前記メモリカードがホストデバイスに挿入されると生じる方法。
【請求項１０】
請求項１記載の方法において、
前記メモリカードは、単一のボリュームまたは複数のボリュームのいずれかへとフォーマットされ、
前記不揮発性データ記憶装置の全体が、単一のボリュームとしてＸギガバイトの第１のボリュームへとフォーマットされるか、または複数のボリュームとしてそれぞれＸ／ＮギガバイトのＮ個のボリュームへとフォーマットされ、Ｘは０より大きい方法。
【請求項１１】
請求項１記載の方法において、
前記メモリカード上に１つのボリュームが存在すると前記判断するステップ（ｂ）が判断する場合、第１のボリュームは、ＦＡＴ−３２ファイルフォーマットを有する方法。
【請求項１２】
請求項１記載の方法において、
前記メモリカード上に複数のボリュームが存在すると前記判断するステップ（ｂ）が判断する場合、複数のボリュームはそれぞれ、ＦＡＴ−１６ファイルフォーマットを有する方法。
【請求項１３】
第１の大きさの単一のパーティションまたは第２の大きさの複数のパーティションとして構成されることが可能なメモリカードであって、
データ記憶装置を設ける不揮発性データ記憶装置であって、少なくとも第１のパーティションを含み、かつ少なくとも第１のパーティションを記述するパーティション情報を記憶するように構成される不揮発性データ記憶装置と、
複数のスイッチ位置のうちの１つにセットされるスイッチと、
前記不揮発性データ記憶装置に記憶されたデータへのアクセスを管理するコントローラと、を備え、
前記コントローラは、前記不揮発性データ記憶装置に記憶されたパーティション情報を調べて、単一のパーティションが用いられているかまたは複数のパーティションが用いられているかを、そのパーティション情報に基づき判断し、
単一のパーティションが用いられていると前記コントローラが判断すると、前記不揮発性データ記憶装置は、単一のパーティションとしてアドレス指定され、
複数のパーティションが用いられていると前記コントローラが判断すると、前記不揮発性データ記憶装置は、前記スイッチのスイッチ位置に基づき複数のパーティションとしてアドレス指定されるメモリカード。
【請求項１４】
請求項１３記載のメモリカードにおいて、
１つ以上のパーティションは、ボリュームであるメモリカード。
【請求項１５】
請求項１３記載のメモリカードにおいて、
単一のパーティションが前記メモリカード上で用いられていると前記コントローラが判断する場合、単一のパーティションは、ＦＡＴ−３２ファイルフォーマットを有するメモリカード。
【請求項１６】
請求項１３記載のメモリカードにおいて、
複数のパーティションが前記メモリカード上で用いられていると前記コントローラが判断する場合、複数のパーティションはそれぞれ、ＦＡＴ−１６ファイルフォーマットを有するメモリカード。
【請求項１７】
請求項１３記載のメモリカードにおいて、
前記メモリカードは、単一のパーティションまたは複数のパーティションのいずれかへとフォーマットされ、
前記不揮発性データ記憶装置の全体が、単一のパーティションとしてＸギガバイトの第１のパーティションへとフォーマットされるか、または複数のパーティションとしてそれぞれＸ／ＮギガバイトのＮ個のパーティションへとフォーマットされ、Ｘは０より大きいメモリカード。
【請求項１８】
請求項１３記載のメモリカードにおいて、
前記メモリカードは、ＦＬＡＳＨメモリデバイスであるメモリカード。
【請求項１９】
不揮発性データ記憶装置を設けるメモリデバイスであって、
前記不揮発性データ記憶装置の第１のボリュームからのボリューム情報にアクセスする手段と、
前記メモリデバイス上に、１つのボリュームが存在するかまたは複数のボリュームが存在するかを、ボリューム情報に基づき判断する手段と、
前記メモリデバイス上に存在すると前記判断する手段が判断する１つまたは複数のボリュームへの前記メモリデバイスの構成に基づき、前記メモリカードを動作させる手段と、
を備えるメモリデバイス。
【請求項２０】
請求項１９記載のメモリデバイスにおいて、
前記メモリデバイス上に１つのボリュームが存在すると前記判断する手段が判断すると、前記動作させる手段は、前記メモリデバイスを第１のモードで動作させ、
前記メモリデバイス上に複数のボリュームが存在すると前記判断する手段が判断すると、前記動作させる手段は、前記メモリデバイスを第２のモードで動作させるメモリデバイス。
【請求項２１】
請求項２０記載のメモリデバイスにおいて、
前記メモリデバイスは、第１のモードおよび第２のモードのうちの１つのユーザ選択を可能にするスイッチ手段をさらに備えるメモリデバイス。
【請求項２２】
請求項１９記載のメモリデバイスにおいて、
前記メモリデバイス上に１つのボリュームが存在すると前記判断する手段が判断すると、前記動作させる手段は、第１のボリュームのみを提供するものとして前記メモリデバイスを動作させるメモリデバイス。
【請求項２３】
請求項１９記載のメモリデバイスにおいて、
前記メモリデバイス上に複数のボリュームが存在すると前記判断する手段が判断すると、前記動作させる手段は、複数のボリュームを提供するものとして前記メモリデバイスを動作させ、複数のボリュームのうちの１つが第１のボリュームであり、前記不揮発性データ記憶装置が複数のボリューム間に配分されるメモリデバイス。
【請求項２４】
請求項１９記載のメモリデバイスにおいて、
前記メモリデバイスは、メモリカードであるメモリデバイス。
【請求項２５】
請求項１９記載のメモリデバイスにおいて、
前記メモリデバイスは、ＦＬＡＳＨメモリデバイスであるメモリデバイス。
【請求項２６】
不揮発性データ記憶装置を設けるメモリカードからデータを読み出す方法であって、
（ａ）前記メモリカード上のスイッチのスイッチ位置にアクセスするステップと、
（ｂ）前記メモリカード上に、１つのボリュームが存在するかまたは複数のボリュームが存在するかを、スイッチ位置に基づき判断するステップと、
（ｃ）前記メモリカード上に１つのボリュームが存在すると前記判断するステップ（ｂ）が判断すると、第１のボリュームのみを提供するものとして前記メモリカードを動作させるステップと、
（ｄ）前記メモリカード上に複数のボリュームが存在すると前記判断するステップ（ｂ）が判断すると、複数のボリュームを提供するものとして前記メモリカードを動作させるステップと、を含み、
前記不揮発性データ記憶装置が、１つのボリュームに割り当てられ、
複数のボリュームのうちの１つが第１のボリュームであり、前記不揮発性データ記憶装置が複数のボリューム間に配分される方法。
【請求項２７】
請求項２６記載の方法において、
前記スイッチは、３つの位置を有する方法。
【請求項２８】
第１の大きさの単一のパーティションまたは第２の大きさの複数のパーティションとして構成されることが可能なメモリカードであって、
データ記憶装置を設ける不揮発性データ記憶装置であって、少なくとも第１のパーティションを含み、かつ少なくとも第１のパーティションを記述するパーティション情報を記憶するように構成される不揮発性データ記憶装置と、
複数のスイッチ位置のうちの１つにセットされるスイッチと、
前記不揮発性データ記憶装置に記憶されたデータへのアクセスを管理するコントローラと、を備え、
前記コントローラは、パーティション情報を調べて、単一のパーティションが用いられているかまたは複数のパーティションが用いられているかを、そのパーティション情報に基づき判断し、
単一のパーティションが用いられていると前記コントローラが判断すると、前記不揮発性データ記憶装置は、単一のパーティションとしてアドレス指定され、
複数のパーティションが用いられていると前記コントローラが判断すると、前記不揮発性データ記憶装置は、前記スイッチのスイッチ位置に基づき複数のパーティションとしてアドレス指定されるメモリカード。
【請求項２９】
請求項２８記載のメモリカードにおいて、
１つ以上のパーティションは、ボリュームであるメモリカード。
【請求項３０】
請求項２８記載のメモリカードにおいて、
単一のパーティションが前記メモリカード上で用いられていると前記コントローラが判断する場合、単一のパーティションは、ＦＡＴ−３２ファイルフォーマットを有するメモリカード。
【請求項３１】
請求項２８記載のメモリカードにおいて、
複数のパーティションが前記メモリカード上で用いられていると前記コントローラが判断する場合、複数のパーティションはそれぞれ、ＦＡＴ−１６ファイルフォーマットを有するメモリカード。
【請求項３２】
請求項２８記載のメモリカードにおいて、
前記メモリカードは、単一のパーティションまたは複数のパーティションのいずれかへとフォーマットされ、
前記不揮発性データ記憶装置の全体が、単一のパーティションとしてＸギガバイトの第１のパーティションへとフォーマットされるか、または複数のパーティションとしてそれぞれＸ／ＮギガバイトのＮ個のパーティションへとフォーマットされ、Ｘは０より大きいメモリカード。
【請求項３３】
請求項３２記載のメモリカードにおいて、
前記スイッチは、Ｎ＋１のスイッチ位置を有するメモリカード。
【請求項３４】
請求項２８記載のメモリカードにおいて、
前記メモリカードは、ＦＬＡＳＨメモリデバイスであるメモリカード。
【請求項３５】
請求項３２記載のメモリカードにおいて、
前記スイッチは、３つのスイッチ位置を有するメモリカード。